(57)【要約】【課題】洗浄性、特に、エンジンオイルや切削油に由来する汚れの洗浄性に優れる身体用洗浄剤を提供することを目的とする。【解決手段】無機性値が３５０以上５００以下であり、かつ有機性値が４００以上５５０以下であり、かつオキシプロピレン残基の平均付加モル数が２．５以下であるポリオキシエチレンポリオキシプロピレンプロピルヘプチルエーテル系非イオン性界面活性剤と、研磨材と、を含有する、身体用洗浄剤。【選択図】なし【特許請求の範囲】
【請求項１】
無機性値が３５０以上５００以下であり、かつ有機性値が４００以上５５０以下であり、かつオキシプロピレン残基の平均付加モル数が２．５以下であるポリオキシエチレンポリオキシプロピレンプロピルヘプチルエーテル系非イオン性界面活性剤と、
研磨材と、を含有する、
身体用洗浄剤。
【請求項２】
前記ポリオキシエチレンポリオキシプロピレンプロピルヘプチルエーテル系非イオン性界面活性剤のポリオキシエチレン残基の平均付加モル数が４〜５である、
請求項１に記載の身体用洗浄剤。
【請求項３】
前記研磨材の平均粒子径が、１〜５００μｍである、
請求項１又は２に記載の身体用洗浄剤。
【請求項４】
前記研磨材が生分解性高分子を含む、
請求項１〜３のいずれか一項に記載の身体用洗浄剤。
【請求項５】
前記研磨材が、ポリブチレンサクシネート、ポリブチレンサクシネートアジペート、ポリ乳酸、乳酸グリコール酸共重合体、及びポリヒドロキシブチレートからなる群より選ばれる少なくとも１種以上を含む、
請求項１〜３に記載の身体用洗浄剤。
【発明の詳細な説明】
【技術分野】
【０００１】
本発明は洗浄剤及びその製造方法に関する。
【背景技術】
【０００２】
産業用分野において、切削油やグリースのような強固な汚れを手や足等の皮膚から取り除くために、界面活性剤と水不溶性の研磨材を含有した洗浄剤が用いられている。この洗浄剤には、洗浄性と使用感が良いことが求められ、これらの性能を向上させるために、様々な検討がなされている。
【０００３】
たとえば、特許文献１には、使用後にベタツキ感が残らない身体清浄用化粧料を提供することを目的として、ポリオキシエチレン残基およびオキシプロピレン残基からなる親水基を有するポリオキシアルキレンエーテル系非イオン性界面活性剤と合成高分子のスクラブ粒子を含有することを特徴とする身体清浄用化粧料が開示されている。
【０００４】
また、特許文献２には、洗浄時のぬめり感を低減し、すすぎ性を改善することを目的として、（メタ）アクリル酸と（メタ）アクリル酸エステルとの共重合体と、生分解性研磨材と、ポリオキシエチレンポリオキシプロピレンプロピルヘプチルエーテルとを含有する身体用洗浄剤が開示されている。
【先行技術文献】
【特許文献】
【０００５】
【特許文献１】特開２００６−１６４０２号公報
【特許文献２】特開２０１２−２３３１２８号公報
【発明の概要】
【発明が解決しようとする課題】
【０００６】
しかしながら、これらの洗浄剤では、強固な汚れを洗浄するには洗浄性が未だ十分ではなく、広範な油汚れ、特に、エンジンオイルや切削油に対応できないという問題がある。
【０００７】
本発明は、上記問題点に鑑みてなされたものであり、洗浄性、特に、エンジンオイルや切削油に由来する汚れの洗浄性に優れる身体用洗浄剤を提供することを目的とする。
【課題を解決するための手段】
【０００８】
本発明者は、上記問題を解決するために鋭意検討を行った結果、特定の界面活性剤を用いることにより、上記課題を解決し得ることを見出し、本発明を完成するに至った。
【０００９】
すなわち本発明は、以下のとおりである。
〔１〕
無機性値が３５０以上５００以下であり、かつ有機性値が４００以上５５０以下であり、かつオキシプロピレン残基の平均付加モル数が２．５以下であるポリオキシエチレンポリオキシプロピレンプロピルヘプチルエーテル系非イオン性界面活性剤と、
研磨材と、を含有する、
身体用洗浄剤。
〔２〕
前記ポリオキシエチレンポリオキシプロピレンプロピルヘプチルエーテル系非イオン性界面活性剤のポリオキシエチレン残基の平均付加モル数が４〜５である、
〔１〕に記載の身体用洗浄剤。
〔３〕
前記研磨材の平均粒子径が、１〜５００μｍである、
〔１〕又は〔２〕に記載の身体用洗浄剤。
〔４〕
前記研磨材が生分解性高分子を含む、
〔１〕〜〔３〕のいずれか一項に記載の身体用洗浄剤。
〔５〕
前記研磨材が、ポリブチレンサクシネート、ポリブチレンサクシネートアジペート、ポリ乳酸、乳酸グリコール酸共重合体、及びポリヒドロキシブチレートからなる群より選ばれる少なくとも１種以上を含む、
〔１〕〜〔３〕に記載の身体用洗浄剤。
【発明の効果】
【００１０】
本発明によれば、洗浄性、特に、エンジンオイルや切削油に由来する汚れの洗浄性に優れる身体用洗浄剤を提供することができる。
【発明を実施するための形態】
【００１１】
以下、本発明を実施するための形態（以下、「本実施形態」という。）について、詳細に説明するが、本発明はこれに限定されるものではなく、その要旨を逸脱しない範囲で様々な変形が可能である。また、特に断りのない限り、数値の測定は常温常圧下で行うものとする。
【００１２】
〔洗浄剤〕
本実施形態の身体用洗浄剤は、無機性値が３５０以上５００以下であり、かつ有機性値が４００以上５５０以下であり、かつオキシプロピレン残基の平均付加モル数が２．５以下であるポリオキシエチレンポリオキシプロピレンプロピルヘプチルエーテル系非イオン性界面活性剤と、研磨材と、を含有する。以下、身体用洗浄剤の各成分について詳説する。
【００１３】
〔界面活性剤〕
本実施形態の身体用洗浄剤においては、ポリオキシエチレンポリオキシプロピレンプロピルヘプチルエーテル系非イオン性界面活性剤（以下、「ＰＯＥＰＯＰ界面活性剤」という）を用いる。ＰＯＥＰＯＰ界面活性剤は、本実施形態の身体用洗浄剤の洗浄性に寄与する成分であり、無機性値、有機性値、オキシプロピレン残基の平均付加モル数、及び末端基の全てを所定の範囲に調整した結果として、特に洗浄性が向上し、広範な油汚れに対する洗浄性、特に、エンジンオイルや切削油に由来する汚れの洗浄性を発揮することができる。
【００１４】
ＰＯＥＰＯＰ界面活性剤の無機性値は、３５０〜５００であり、好ましくは３７０〜４８０であり、より好ましくは３８０〜４７０である。無機性値は、化合物の物理化学的物性について、主に電気的親和力による物性の程度を示す指標であり、無機性値が上記範囲内であることにより、広範な油汚れに対する洗浄性、特に、エンジンオイルや切削油に由来する汚れの洗浄性がより向上する。
【００１５】
ＰＯＥＰＯＰ界面活性剤の有機性値は、４００〜５５０であり、好ましくは４２０〜５２０であり、より好ましくは４６０〜５２０である。有機性値は、化合物の物理化学的物性について、主にVan Der Waals力による物性の程度を示す指標であり、有機性値が上記範囲内であることにより、広範な油汚れに対する洗浄性がより向上し、エンジンオイルや切削油に由来する汚れも含め、それ以外の汚れに対する洗浄性もより向上する。
【００１６】
なお、無機性値及び有機性値については、有機概念図論（参考文献：「有機概念図‐基礎と応用、甲田善生、三共出版（２００８）」、「系統的有機定性分析、藤田穆、風間書房（１９７４）」）などに記述されている。概念としては、化合物の物理化学的物性について、主にVan Der Waals力による物性の程度を「有機性」、また主に電気的親和力による物性の程度を「無機性」と呼び、無機性値及び有機性値は、各種有機化合物の構成要素、官能基に対して設定された数値から算出される。本実施形態において、有機性値、無機性値の算出に用いる基準値を下記表１に示す。
【００１７】
【表１】
2019189820.tif 000002
【００１８】
ＰＯＥＰＯＰ界面活性剤としては、下記式（１）で表される化合物及び下記式（１）で表される化合物の２種以上の混合物が挙げられる。なお、ＰＯＥＰＯＰ界面活性剤は、一種単独で用いても、二種以上を併用してもよい。
Ｃ5Ｈ11（Ｃ3Ｈ7）ＣＨＣＨ2−（ＯＣ3Ｈ6）n−（ＯＣ2Ｈ4）m−ＯＨ  …  式（１）
（式中、ｎは、オキシプロピレン残基の平均付加モル数を示し、ｍは、ポリオキシエチレン残基の平均付加モル数を示す。）
【００１９】
ＰＯＥＰＯＰ界面活性剤のオキシプロピレン残基の平均付加モル数ｎは、２．５以下であり、好ましくは０．５〜２．５以下であり、より好ましくは１．５〜２．３以下である。平均付加モル数が２以下であることにより、広範な油汚れに対する洗浄性、特に、エンジンオイルや切削油に由来する汚れの洗浄性がより向上する。なお、本実施形態において「平均付加モル数」とは、身体用洗浄剤がＰＯＥＰＯＰ界面活性剤に該当する化合物を２種以上含有する場合において、その加重平均の値を意味する。
【００２０】
ＰＯＥＰＯＰ界面活性剤のポリオキシエチレン残基の平均付加モル数ｍは、好ましくは４〜５である。平均付加モル数が上記範囲内であることにより、広範な油汚れに対する洗浄性がより向上し、エンジンオイルや切削油に由来する汚れも含め、それ以外の汚れに対する洗浄性もより傾向にある。
【００２１】
ＰＯＥＰＯＰ界面活性剤は、末端にプロピルヘプチルエーテル基を有し、好ましくは２−プロピルヘプチルエーテル基を有する。当該末端基が洗浄性に与える影響は大きく、プロピルヘプチルエーテル基以外の基、例えば、デシルエーテル基を用いた場合には、洗浄性が大きく低下し、エンジンオイルや切削油に由来する汚れを洗浄しにくくなる。このことは、デシルエーテル基以外の基においても同様である。また、式（１）におけるオキシプロピレン残基とポリオキシエチレン残基は、各々ブロック重合体のような態様であっても、ランダム重合体のような態様であってもよい。
【００２２】
ＰＯＥＰＯＰ界面活性剤の含有量は、身体用洗浄剤の総量に対して、好ましくは５〜２０質量％であり、より好ましくは７〜１７質量％であり、さらに好ましくは１０〜１５質量％である。ＰＯＥＰＯＰ界面活性剤の含有量が５質量％以上であることにより、広範な油汚れに対する洗浄性、特に、エンジンオイルや切削油に由来する汚れの洗浄性がより向上する傾向にある。また、ＰＯＥＰＯＰ界面活性剤の含有量が２０質量％以下であることにより、すすぎ性がより向上する傾向にある。
【００２３】
本実施形態の身体用洗浄剤は、ＰＯＥＰＯＰ界面活性剤以外の界面活性剤を含んでいてもよい。このような界面活性剤としては、特に制限されないが、例えば、陽イオン性界面活性剤、両イオン性界面活性剤、陰イオン性界面活性剤、非イオン性界面活性剤（ＰＯＥＰＯＰ界面活性剤除く）が挙げられる。
【００２４】
陽イオン性界面活性剤としては、特に限定されないが、具体的には、塩化アルキルトリメチルアンモニウム、塩化アルキルジメチルベンジルアンモニウム、塩化ジアルキルジメチルアンモニウム、臭化アルキルトリメチルアンモニウム、塩化アルキルペンタエトキシアンモニウム、エチル硫酸ラノリン脂肪酸アミノプロピルエチルジメチルアンモニウム、カチオン化セルロース等のアンモニウム系界面活性剤；アシルジエチルアミノエチルアミド、アシルジメチルアミノプロピルアミド、ポリオキシエチレン脂肪酸アミド等のアミド系界面活性剤；その他、ミリスチルジメチルアミンオキシド等が挙げられる。
【００２５】
両イオン性界面活性剤としては特に限定されないが、具体的には、脂肪酸残基の炭素数が１３以上のアルキルジメチルアミノ酢酸ベタイン、アシルアミドプロピルジメチルアミノ酢酸ベタイン等のベタイン系界面活性剤；Ｎ−アルキル−Ｎ−カルボキシメチル−Ｎ−ヒドロキシエチルイミダゾリニウムベタイン、Ｎ−アルキル−Ｎ−カルボキシメチル−Ｎ−ヒドロキシエチルエチレンジアミン・ラウリル硫酸及びその塩等のイミダゾリニウム系界面活性剤；ポリオクチルポリアミノエチルグリシン等のグリシン系界面活性剤；アルキルアミノプロピオン酸、アルキルアミノジプロピオン酸等のアミノプロピオン酸系界面活性剤等が挙げられる。
【００２６】
陰イオン性界面活性剤としては特に限定されないが、具体的には、炭素数が１７以下のナトリウム石鹸；脂肪酸残基の炭素数が１７以下のアシルサルコシン及びその塩、アシルアミノ酸及びその塩、アシル化ペプチド及びその塩等のアミノ酸系界面活性剤；ポリオキシエチレンアルキルエーテルカルボン酸及びその塩、ポリオキシエチレンアルキルエーテル硫酸及びその塩、ポリオキシエチレンアルキルエーテルスルホン酸及びその塩等のポリオキシアルキレン付加物；アルキルリン酸及びそのカリウム塩やアルカノールアミン塩、ポリオキシエチレンアルキルエーテルリン酸及びその塩等のリン酸系界面活性剤；スルホコハク酸ジアルキル及びその塩、ポリオキシエチレンスルホコハク酸アルキルエーテル及びその塩等のスルホコハク酸系界面活性剤；アルキルフェノールエーテルリン酸エステル及びその塩等のアルキルフェノール系界面活性剤；ラウレス硫酸ナトリウム等が挙げられる。
【００２７】
非イオン性界面活性剤としては特に限定されないが、具体的には、ポリオキシエチレンアルキルエーテル、ポリオキシエチレンソルビットミツロウ、ポリオキシエチレンヒマシ油、ポリオキシエチレンステロール、ポリオキシエチレン水素添加ステロール、ポリオキシエチレンラノリン、ポリオキシエチレンラノリンアルコール、ポリオキシエチレンアルキルフェニルホルムアルデヒド縮合物等のポリオキシアルキレンエーテル系界面活性剤；レシチン等のリン脂質；プロピレングリコール脂肪酸エステル、グリセリン脂肪酸エステル、ポリグリセリン脂肪酸エステル、ポリオキシエチレングリセリン脂肪酸エステル、ソルビタン脂肪酸エステル、脂肪酸残基の炭素数が１７以下のポリオキシエチレンソルビタン脂肪酸エステル、脂肪酸残基が飽和炭素鎖であるポリオキシエチレンソルビット脂肪酸エステル、ポリエチレングリコール脂肪酸エステル等のエステル系界面活性剤等が挙げられる。
【００２８】
ＰＯＥＰＯＰ界面活性剤以外の界面活性剤の総含有量は、身体用洗浄剤の総量に対して、好ましくは０〜２０質量％であり、より好ましくは１〜１０質量％であり、さらに好ましくは３〜７質量％である。
【００２９】
〔研磨剤〕
研磨剤を用いることにより、物理的な摩擦効果によって洗浄力が高められると共に、粒子表面に汚れを吸着させることができる。本実施形態の身体用洗浄剤に含まれる研磨剤（スクラブ材）としては、特に制限されず、従来より公知のものを適宜選択して用いることができる。例えば、生分解性高分子、クルミの殻粒子、トウモロコシ穂軸粒子、アンズ核粒子、ポリヒドロキシブチレート粒子、ポリ（ヒドロキシブチレート／ヒドロキシヘキサノエート）粒子、エステル化澱粉粒子、酢酸セルロース粒子、キトサン／セルロース／澱粉混合物粒子、ポリブチレンサクシネート粒子、ポリブチレンサクシネートアジペート粒子、ポリ乳酸粒子、ポリエチレンサクシネート粒子、ポリカプロラクトン系樹脂粒子、ポリグリコール酸粒子、ポリテトラメチレンアジペート・コ・テレフタレート粒子、ポリブチレンアジペートテレフタレート粒子、ポリブチレンサクシネート・コ・アジペート・コ・テレフタレート粒子、ポリブチレンサクシネートカーボネート粒子、ポリブチレンサクシネートテレフタレート粒子、ポリエチレン粒子が挙げられる。研磨剤は、一種単独で用いても二種以上を併用してもよい。
【００３０】
上記の中でも、研磨剤が生分解性高分子を含むことが好ましい。生分解性高分子を含むことにより、環境に放出された場合の分解性に優れ、環境適性がより向上する傾向にある。生分解性高分子としては、特に制限されないが、例えば、ポリブチレンサクシネート、ポリブチレンサクシネートアジペート、ポリ乳酸、乳酸グリコール酸共重合体、及びポリヒドロキシブチレートからなる群より選ばれる少なくとも１種以上が挙げられる。
【００３１】
研磨材の平均粒子径は、好ましくは１〜５００μｍであり、より好ましくは５０〜４００μｍであり、さらに好ましくは１００〜３００μｍである。研磨材の平均粒子径が上記範囲内であることにより、洗浄性がより向上する傾向にある。平均粒子径は、乾式粒度分布計（ロボットシフターＲＰＳ−１０５Ｍ  セイシン企業株式会社製など）により、ＪＩＳ  Ｚ  ８８０１に準拠して測定することができる。
【００３２】
研磨剤の含有量は、身体用洗浄剤の総量に対して、好ましくは１〜１０質量％であり、より好ましくは２〜７質量％であり、さらに好ましくは３〜５質量％である。研磨剤の含有量が１質量％以上であることにより、洗浄性がより向上する傾向にある。また、研磨剤の含有量が１０質量％以下であることにより、身体に使用した場合の物理的刺激が抑制された洗浄剤にすることができる。
【００３３】
〔添加剤〕
本実施形態の身体用洗浄剤は、必要に応じて、他の添加剤を含んでいてもよい。他の添加剤としては、特に制限されないが、例えば、増粘剤、ｐＨ調整剤、保湿剤、溶剤が挙げられる。
【００３４】
（増粘剤）
増粘剤としては、洗浄剤用途に通常使用されるものであれば特に限定されず、合成高分子又は天然高分子が挙げられる。
【００３５】
合成高分子としては、特に限定されないが、具体的には、アクリル酸／メタクリル酸アルキル共重合体、カルボキシビニルポリマー、ポリビニルアルコール、ポリビニルピロリドン、カルボキシアルキルセルロース、カルボキシメチルセルロース、ヒドロキシエチルセルロースヒドロキシプロピルトリメチルアンモニウムクロリドエーテル、メチルセルロース、エチルセルロース、ヒドロキシプロピルセルロース、メチルヒドロキシプロピルセルロース、アルギン酸プロピレングリコールエステル、メトキシエチレン無水マレイン酸共重合体、ポリ塩化ジメチルメチレンピペリジニウム、ポリ酢酸ビニル、ポリビニルアルコール、ポリビニルピロリドン、ポリビニルメチルエーテル、ニトロセルロース、ポリエチレングリコール脂肪酸エステル、ジステアリン酸ポリエチレングリコール等のポリオキシエチレン脂肪酸エステル、ポリオキシエチレンジオレイン酸メチルグルコシド等のポリオキシエチレン脂肪酸エステルメチルグリコシド等が挙げられる。
【００３６】
天然高分子としては、特に限定されないが、具体的には、デンプン、可溶性デンプン、カルボキシメチルデンプン、メチルデンプン、セルロース、ゼラチン、アラビアガム、キサンタンガム、グアーガム、ローカストビンガム、クインスシード、カラギーナン、ガラクタン、ペクチン、マンナン、デキストラン、サクシノグルカン、カードラン、カゼイン、アルブミン、コラーゲン等が挙げられる。
【００３７】
増粘剤の含有量は、身体用洗浄剤の総量に対して、好ましくは０．０５〜３．００質量％であり、より好ましくは０．１０〜１．００質量％であり、より好ましくは０．２０〜０．５０質量％である。
【００３８】
（ｐＨ調整剤）
ｐＨ調整剤を用いることにより、皮膚への刺激性を低下させることができる。ｐＨ調整剤としては、洗浄剤用途に通常使用されるものであれば特に限定されないが、例えば、水酸化ナトリウム、水酸化カリウム、アンモニア水等の無機物；トリメチルアミン、ジエタノールアミン、ジエチルアミン、トリエタノールアミン等の有機アミンが挙げられる。
【００３９】
ｐＨ調整剤の含有量は、身体用洗浄剤の総量に対して、好ましくは０．１〜１質量％であり、より好ましくは０．２〜０．７質量％であり、さらに好ましくは０．３〜０．５質量％である。
【００４０】
（保湿剤）
保湿剤を用いることにより、過剰な脱脂による皮膚の荒れを防止することができ、使用感の向上に寄与する。保湿剤としては、洗浄剤用途に通常使用されるものであれば特に限定されないが、例えば、トリメチルグリシン、尿素、尿酸、アンモニア、レシチン、ラノリン、スクワラン、スクワレン、グルコサミン、クレアチニン、ＤＮＡ、ＲＮＡ等の核酸関連物質等が挙げられる。
【００４１】
保湿剤の含有量は、身体用洗浄剤の総量に対して、好ましくは０．０１〜３．００質量％であり、より好ましくは０．０５〜２．００質量％であり、さらに好ましくは０．０７〜１．００質量％である。
【００４２】
（溶剤）
溶剤としては、水、及び／又は水溶性有機溶剤を用いることができる。このなかでも水が好ましい。溶剤の含有量は、身体用洗浄剤の総量に対して、好ましくは７０〜９５質量％であり、より好ましくは７５〜９０質量％であり、さらに好ましくは８０〜８５質量％である。
【００４３】
（その他）
そのほか、色素、香料、等、通常の洗浄剤等に用いられる上記以外の他の添加剤を適宜含んでもよい。
【００４４】
〔用途〕
本実施形態の洗浄剤は手指、足、胴体、顔、頭部を洗浄する身体用洗浄剤として用いることが好ましく、手指に付着した油、錆、カーボン等の強固な汚れを洗浄するのに用いることがより好ましい。
【００４５】
〔洗浄剤の製造方法〕
本実施形態の洗浄剤は、ＰＯＥＰＯＰ界面活性剤及び研磨材、並びに、必要に応じて、他の添加剤を混合することによって、製造することができる。混合方法は、特に限定されず従来より公知の方法を用いることができ、例えば、撹拌翼を備えた撹拌槽により混合する方法が挙げられる。
【実施例】
【００４６】
次に、本発明を実施例及び比較例を用いてさらに詳細に説明するが、本発明はこれによって何ら限定されるものではない。
【００４７】
〔洗浄性能〕
活性炭素粉末（和光純薬工業株式会社）１質量部に対して、下記油汚れ9質量部を混合したものをモデル汚れとして用意した。
（油汚れ）
不水溶性切削油：ＢＭ４０５（ユシロ化学工業株式会社）
エンジンオイル：ＴＲＵＳＣＯ４サイクルエンジンオイル  粘度：ＳＡＥ１０Ｗ−４０
（トラスコ中山株式会社）
グリース      ：ユニルーブＤＬ  Ｎｏ．１（協同油脂株式会社）
切削油混合液  ：工作機械より回収した水溶性切削油の混合液（水溶性切削油＋グリース）
【００４８】
白色の人工皮革（ロイヤルレザーナ  カラー：ホワイト）を二つ用意し、一方に上記モデル汚れを塗付し（人工皮革Ａ）、他方に実施例及び比較例において得られた洗浄剤組成物を塗付した（人工皮革Ｂ）。マーチンデール摩耗試験機（ＪＡＭＥＳ Ｈ．ＨＥＡＬ＆ＣＯ．ＬＴＤ．ＨＡＬＩＦＡＸ ＥＮＧＬＡＮＤ社製）を用いて、試験荷重９ｋＰa、５０秒の条件で、人工皮革ＡとＢをこすり合わせた。その後、人工皮革Ａの表面を擦らずに、流水下で１０秒間流した。最後に、人工皮革Ａ上の残存汚れを画像解析ソフト「Ｓｃｉｏｎ」を用いて確認した。具体的には、白色の人工皮革上のモデル汚れに由来する黒色の残存を、０（洗浄性が低い）〜２５５（洗浄性が高い）段階の明度で数値化し、洗浄性能を評価した。なお、明度は人工皮革全面の平均値として算出した。評価基準は以下のとおりである。
（評価基準）
Ａ…明度が１５０以上２５５以下
Ｂ…明度が  ５０以上１５０未満
Ｃ…明度が  １０以上  ５０未満
Ｄ…明度が    ０以上  １０未満
【００４９】
〔実施例１〕
式（１）においてｎが２でありｍが５である非イオン性界面活性剤１２質量部、トリエタノールアミン０．４質量部、アクリル酸／メタクリル酸アルキル共重合体（住友精化株式会社、製品名：ＡＱＵＰＥＣ  ＨＶ−７０１ＥＤＲ）０．２４質量部、トリメチルグリシン０．０９質量部、香料０．０５質量部、水８３．１２質量部、ポリブチレンサクシネートアジペート（平均粒子径１２０μｍ）４．１質量部を混合し、洗浄剤組成物を得た。
Ｃ5Ｈ11（Ｃ3Ｈ7）ＣＨＣＨ2−（ＯＣ3Ｈ6）n−（ＯＣ2Ｈ4）m−ＯＨ  …  式（１）
（式中、ｎは、オキシプロピレン残基の平均付加モル数を示し、ｍは、ポリオキシエチレン残基の平均付加モル数を示す。）
【００５０】
〔実施例２〕
式（１）においてｎが２でありｍが５である非イオン性界面活性剤代えて、式（１）においてｎが２でありｍが４である非イオン性界面活性剤を用いたこと以外は、実施例１と同様にして、洗浄剤組成物を得た。
【００５１】
〔実施例３〕
式（１）においてｎが２でありｍが５である非イオン性界面活性剤代えて、式（１）においてｎが１でありｍが５である非イオン性界面活性剤を用いたこと以外は、実施例１と同様にして、洗浄剤組成物を得た。
【００５２】
〔実施例４〕
式（１）においてｎが２でありｍが５である非イオン性界面活性剤代えて、式（１）においてｎが１でありｍが４である非イオン性界面活性剤を用いたこと以外は、実施例１と同様にして、洗浄剤組成物を得た。
【００５３】
〔実施例５〕
ポリブチレンサクシネートアジペート（平均粒子径１２０μｍ）代えて、ポリブチレンサクシネートアジペート（平均粒子径６００μｍ）を用いたこと以外は、実施例１と同様にして、洗浄剤組成物を得た。
【００５４】
〔比較例１〕
式（１）においてｎが２でありｍが５である非イオン性界面活性剤代えて、式（１）においてｎが２でありｍが６である非イオン性界面活性剤を用いたこと以外は、実施例１と同様にして、洗浄剤組成物を得た。
【００５５】
〔比較例２〕
式（１）においてｎが２でありｍが５である非イオン性界面活性剤代えて、式（１）においてｎが２でありｍが８である非イオン性界面活性剤を用いたこと以外は、実施例１と同様にして、洗浄剤組成物を得た。
【００５６】
〔比較例３〕
式（１）においてｎが２でありｍが５である非イオン性界面活性剤代えて、式（１）においてｎが１でありｍが６である非イオン性界面活性剤を用いたこと以外は、実施例１と同様にして、洗浄剤組成物を得た。
【００５７】
〔比較例４〕
式（１）においてｎが２でありｍが５である非イオン性界面活性剤代えて、式（１）においてｎが１でありｍが８である非イオン性界面活性剤を用いたこと以外は、実施例１と同様にして、洗浄剤組成物を得た。
【００５８】
〔比較例５〕
式（１）においてｎが２でありｍが５である非イオン性界面活性剤代えて、式（１）においてｎが３でありｍが４である非イオン性界面活性剤を用いたこと以外は、実施例１と同様にして、洗浄剤組成物を得た。
【００５９】
〔比較例６〕
式（１）においてｎが２でありｍが５である非イオン性界面活性剤代えて、式（１）においてｎが３でありｍが５である非イオン性界面活性剤を用いたこと以外は、実施例１と同様にして、洗浄剤組成物を得た。
【００６０】
〔比較例７〕
式（１）において末端がプロピルヘプチルエーテル基である非イオン性界面活性剤代えて、式（１）において末端がデシルエーテル基である非イオン性界面活性剤を用いたこと以外は、実施例１と同様にして、洗浄剤組成物を得た。
【００６１】
〔比較例８〕
式（１）において末端がプロピルヘプチルエーテル基である非イオン性界面活性剤代えて、式（１）において末端がデシルエーテル基である非イオン性界面活性剤を用いたこと以外は、実施例２と同様にして、洗浄剤組成物を得た。
【００６２】
〔比較例９〕
式（１）において末端がプロピルヘプチルエーテル基である非イオン性界面活性剤代えて、式（１）において末端がイソデシルエーテル基である非イオン性界面活性剤を用いたこと以外は、実施例４と同様にして、洗浄剤組成物を得た。
【００６３】
【表２】
2019189820.tif 000003
【産業上の利用可能性】
【００６４】
本発明は、切削油や粘度の高いグリース類、人体に付着した皮脂、土汚れ、カーボンブラック等の頑固な汚れを洗浄する洗浄剤として産業上の利用可能性を有する。